(57)【要約】【課題】  展示物の展示の作業性を向上させるとともに部品点数の低減を図ることができる額縁を提供する。【解決手段】  額縁１は、基板１１及び前面板１５を備えた。そして、基板１１と前面板１５とが相対向したとき、基板１１に備えられた金属板と前面板１５に供えられた磁石板とが相対向し、互いに磁力で吸着されることにより、前面板１５を基板１１の表側面に取り付けた。従って、基板１１を壁面Ｗ等に取り付けた状態から、簡単に前面板１５のみ取り外して絵画Ｐを展示又は交換することができるため、展示物の展示の作業性を向上させることができる。また、基板１１に備えられた金属板と前面板１５に供えられた磁石板は、展示物の位置決めと基板と前面板との取り付けを兼ねているため、位置決め用の部材と取り付け用の部材を個別に設ける必要がなく、額縁の部品点数を低減することができる。【選択図】      図１
2005176913.tif 000002
【特許請求の範囲】
【請求項１】
基板と、
該基板に取り付けるとともに展示物を収容する前面板と、
前記前面板を貫通して形成された開口部と、
前記前面板に固着され、前記開口部を背面から覆う装飾板と、
前記装飾板及び基板にそれぞれ設けられ、前記展示物の位置決めをするとともに、前記基板の前面に前記前面板を着脱可能に取り付けるための位置決め取付手段と、
を備えたことを特徴とする額縁。
【請求項２】
請求項１に記載の額縁において、
前記位置決め取付手段は、
前記装飾板の両側辺及び下側辺に備えられた板状の磁石と、
前記基板の前記板状の磁石と対向する部分に備えられた板状の磁性体と、
を備えたことを特徴とする額縁。
【請求項３】
請求項１または２に記載の額縁において、
前記装飾板は、透明の合成樹脂板であることを特徴とする額縁。
【請求項４】
請求項１乃至３のいずれか１項に記載の額縁において、
前記装飾板は展示物を固定する固定部を有し、前記固定部と前記装飾板とは、一側辺において接続されており、前記固定部は該一側辺を軸として開閉可能に前記装飾板に支持されていることを特徴とする額縁。
【請求項５】
請求項１乃至４のいずれか１項に記載の額縁において、
前記固定部と前記装飾板とは、それぞれの下側辺において接続されており、前記固定部は該下側辺を軸として開閉可能に前記装飾板に支持されていることを特徴とする額縁。
【請求項６】
請求項１乃至５のいずれか１項に記載の額縁において、
前記固定部は、透明の合成樹脂シートであることを特徴とする額縁。
【請求項７】
請求項１乃至６のいずれか１項に記載の額縁において、
前記基板は、保管用の展示物を収納する保管部を凹設したことを特徴とする額縁。
【請求項８】
請求項７に記載の額縁において、
前記基板は、前記保管部に収納された保管用の展示物を前記保管部内に収納保持する保持部材を設けたことを特徴とする額縁。
【発明の詳細な説明】
【技術分野】
【０００１】
本発明は、額縁に関する。
【背景技術】
【０００２】
従来、絵画や写真等の展示物を展示する額縁は、枠体及び基板から構成されている。この枠体は、展示物を表示するための表示領域を有し、さらに、展示物を展示する際には、展示物の外周を覆うことによって額縁の表示面側から展示物を支持していた。一方、基板は展示物を展示する際には、額縁の被表示面側から止め具等を介して枠体に取り付けられ、展示物を支持するようになっていた。そして、このように構成された額縁は、壁等に吊り下げられて展示物を展示するようになっていた。
【０００３】
しかし、上述したように額縁に収められた展示物を交換する際には、その度に、額縁を壁等から取り外して、さらに基板を枠体から取り外すことによって交換を行うので、手間を要していた。
【０００４】
このような問題を解決することができる額縁が種々提案されている（例えば、特許文献１。）。詳しくは、この特許文献１に記載の額縁では、その額縁を構成する枠体は、その枠体上部に設けられた下向きのヒンジを、基板の上部に設けられた長孔に挿入させることにより位置決めされ、基板の上縁部に吊り下げられる。そして、その枠体下部に設けられた取り付けネジにより枠体と基板とが螺着され、表示面側からの開閉が可能とされていた。
【特許文献１】特開平７−１９９８４６号公報
【発明の開示】
【発明が解決しようとする課題】
【０００５】
しかしながら、特許文献１に記載の額縁は、展示物を交換する際には、前記ヒンジ及び前記取り付けネジを外すことによって枠体を基板から取り外して展示物を交換し、その後、再度ヒンジ及び取り付けネジにより基板に枠体を取り付けるようになっていた。すなわち、基板を枠体から着脱する手間を要しており、さらに、枠体の位置決めの際に長孔にヒンジを挿入する手間を要しており、額縁に載置された展示物を交換する手間が省けたとは必ずしもいえなかった。
【０００６】
本発明は上記問題点を解消するためになされたものであって、その目的は、展示物の展示の作業性を向上させるとともに部品点数の低減を図ることができる額縁を提供することにある。
【課題を解決するための手段】
【０００７】
上記問題点を解決するために、本発明の額縁は、基板と、該基板に取り付けるとともに展示物を収容する前面板と、前記前面板を貫通して形成された開口部と、前記前面板に固着され、前記開口部を背面から覆う装飾板と、前記装飾板及び基板にそれぞれ設けられ、前記展示物の位置決めをするとともに、前記基板の前面に前記前面板を着脱可能に取り付けるための位置決め取付手段とを備えた。
【０００８】
この発明によれば、額縁は、位置決め取付手段を備えている。そして、前面板に固着された装飾板に備えられた位置決め取付手段で展示物を位置決めして収容し、基板の前面に前面板を位置決め取付手段により着脱可能に取り付けた。従って、基板を壁等に取り付けた状態から、簡単に前面板のみを取り外して展示物を展示又は交換することができる。ま
た、前記位置決め取付手段は、展示物の位置決めと基板と前面板との取り付けを兼ねているため、位置決め用の部材と取り付け用の部材を個別に設ける必要がなく、額縁の部品点数を低減することができる。
【０００９】
この額縁は、前記位置決め取付手段は、前記装飾板の両側辺及び下側辺に備えられた板状の磁石と、前記基板の前記板状の磁石と対向する部分に備えられた板状の磁性体とを備えていてもよい。
【００１０】
この発明によれば、位置決め取付手段は板状の磁石であるとともに、基板の少なくとも装飾板に備えられた板状の磁石と対向する部分が磁性体で形成されていることから、簡単な構成の額縁で、展示物の展示又は交換の作業性を向上することができる。
【００１１】
この額縁は、前記装飾板は、透明の合成樹脂板であってもよい。
この発明によれば、装飾板を透明の合成樹脂版で形成したことから、展示物を保護することができるとともに、展示物を視認することができる。
【００１２】
この額縁は、前記装飾板は展示物を固定する固定部を有し、前記固定部と前記装飾板とは、一側辺において接続されており、前記固定部は該一側辺を軸として開閉可能に前記装飾板に支持されていてもよい。
【００１３】
この発明によれば、展示物を固定する固定部と装飾板とは、一側辺において接続されており、固定部は該一側辺を軸として開閉可能に装飾板に支持されていることから、展示物の位置決めのための作業が容易となる。
【００１４】
この額縁は、前記固定部と前記装飾板とは、それぞれの下側辺において接続されており、前記固定部は該下側辺を軸として開閉可能に前記装飾板に支持されていてもよい。
この発明によれば、展示物を固定する固定部と装飾板とは、それぞれの下側辺において接続されており、固定部は該下側辺を軸として開閉可能に前記装飾板に支持されていることから、前面板を基板に取り付けるときに展示物が脱落するのを防止することができる。
【００１５】
この額縁は、前記固定部は、透明の合成樹脂シートであってもよい。
この発明によれば、固定部は、透明の合成樹脂シートであることから、展示物を固定部と装飾板との間に収容するときに、展示物を視認しながら展示物の位置合わせのための作業ができる。
【００１６】
この額縁は、前記基板に保管用の展示物を収納する保管部を凹設してもよい。
この発明によれば、基板に凹設された保管部に保管用の展示物を収納することから、展示用の展示物を展示しながらも保管用の展示物を収納することができる。
【００１７】
この額縁において、前記基板は、前記保管部に収納された保管用の展示物を前記保管部内に収納保持する保持部材を設けてもよい。
この発明によれば、保管用の展示物を保管部に収納するときに、保持部材にて保管用の展示物が脱落するのを防止することができる。
【発明を実施するための最良の形態】
【００１８】
（第１実施形態）
以下、本発明の額縁を具体化した第１実施形態を、図１〜図３に従って説明する。
図１は額縁の概略を説明するための平面図、図２は額縁の断面図、図３は額縁の使用方法を説明するための分解斜視図である。
【００１９】
図１に示すように、額縁１は、基板１１及び前面板１５を備えている。そして、額縁１は、壁面Ｗ側に配置される基板１１の表側面（鑑賞側の面）に前面板１５が取り付けられている。額縁１は、使用する前には図３に示すように展開することができる。図３に示すように、基板１１は、長方形の平面板からなり、その裏側面（壁面Ｗ側の面）には壁面Ｗに設けた図示しないフック型の止め具に引っ掛けられる掛止め部材（図示しない）が設けられている。これによって、額縁１は壁面Ｗに吊り下げられることになる。基板１１は、その表側面に位置決め取付手段を構成する金属板１３ａ，１３ｂ，１３ｃがそれぞれ基板１１の左側辺、右側辺、下側辺に沿って備えられている。金属板１３ａ〜１３ｃは、それぞれ磁性体としての金属板で形成されている。金属板１３ａ〜１３ｃは、その外形がそれぞれ略長方形の板状であって、それらの長手方向が、それぞれ基板１１の左側辺、右側辺、下側辺と平行になるように備えられている。すなわち、金属板１３ａは基板１１の左側辺に、金属板１３ｂは基板１１の右側辺に、金属板１３ｃは基板１１の下側辺に平行になるように備えられている。
【００２０】
前記基板１１の表側面には、前面板１５が取り付けられる。前面板１５は、その外形が前記基板１１と同形状をなした四角枠体であって、その中央部には開口部１７が形成されている。開口部１７は、図２に示すように、前面板１５の厚み方向を貫通して形成されている。前面板１５は、その後側面１８に四角形状の凹部１９が凹設されている。凹部１９には、装飾板２５が、前記開口部１７と対向し、開口部１７の全面を覆うように接着剤で固着されている。装飾板２５は、その外形が略長方形であって、透明アクリル板から形成されている。装飾板２５は、その大きさは、前記凹部１９に嵌合する大きさであって、前記開口部１７より一回り大きく形成されている。
【００２１】
図２及び図３に示すように、装飾板２５には、その右側辺、左側辺、下側辺に沿って前記開口部１７を囲むように位置決め取付手段を構成する磁石板２０ａ，２０ｂ，２０ｃが備えられている。磁石板２０ａ〜２０ｃは、長方形の磁石から形成されている。磁石板２０ａ〜２０ｃは、前記金属板１３ａ〜１３ｃと同形状であって、前記基板１１と前面板１５とが相対向したとき、前記金属板１３ａ〜１３ｃと磁石板２０ａ〜２０ｃとが相対向するように配設されている。すなわち、金属板１３ａと磁石板２０ａとが、金属板１３ｂと磁石板２０ｂとが、金属板１３ｃと磁石板２０ｃとがそれぞれ相対向するように配設されている。従って、基板１１と前面板１５とが相対向したときに、金属板１３ａ〜１３ｃと磁石板２０ａ〜２０ｃとが当接し、互いに磁力で吸着されることにより、前面板１５は基板１１に取り付けられる。
【００２２】
装飾板２５の上縁部であって、開口部１７の上側辺より上には接着テープ２７が２つ備えられている。接着テープ２７は、弱粘性テープから形成されている。装飾板２５の下側辺には、固定部としての展示物固定部３０がテープ３１によって接着固定されている。展示物固定部３０は、該下側辺の接着部を軸として開閉可能に前記装飾板２５に支持されている。すなわち、該接着部はヒンジ部３２を形成している。展示物固定部３０は、不透明なポリプロピレンで形成されており、その外形は略長方形状である。展示物固定部３０は、その厚さは、展示物固定部３０を閉じて前記装飾板２５とともに前記凹部１９に収納したときに、前記凹部１９から出ないような厚さになっている。そして、装飾板２５と展示物固定部３０との間には展示物としての絵画Ｐが配置され、前記開口部１７を覆うように前記展示物固定部３０を閉じ、展示物固定部３０の上縁部と前記接着テープ２７とを接着することにより、絵画Ｐは前面板１５に収納配置される。
【００２３】
次に、上記のように構成された額縁１の使用方法を図３に従って説明する。
まず、図３に示すように、額縁１を展開した状態にし、基板１１を壁面Ｗに取り付ける。そして、前面板１５の後側面１８に配置された展示物固定部３０を開き、絵画Ｐを開口部１７と展示物固定部３０との間に配置する。このとき、磁石板２０ａ〜２０ｃ及びヒン
ジ部３２をガイドラインにして絵画Ｐを位置決めし、絵画Ｐを、その表面（絵が描かれている側の面）が前面板１５の表側面（鑑賞する側の面）から見えるように配置する。これにより、絵画Ｐは開口部１７に対して曲がることなく配置されるとともに、開口部１７から絵画Ｐを鑑賞することができる。絵画Ｐを配置すると、展示物固定部３０を閉じ、さらに展示物固定部３０の上縁部と接着テープ２７とを接着することにより、絵画Ｐが収納配置される。これにより、絵画Ｐが撓んだり汚れたりするのを防ぐことができ、さらに前面板１５を基板１１に取り付ける際に絵画Ｐが脱落するのを防ぐことができる。続いて、前面板１５と基板１１とを重ね合わせる。これによって、基板１１に設けた金属板１３ａ〜１３ｃが前面板１５に設けた磁石板２０ａ〜２０ｃと吸着し、基板１１に前面板１５を取り付けて額縁１が完成し、絵画Ｐの展示作業は終了する。
【００２４】
次に、壁面Ｗ上に展示された額縁１の絵画Ｐを交換する場合について説明する。
まず、前面板１５と基板１１との磁力による吸着に抗して前面板１５を基板１１から離間させて、前面板１５の後側面１８を上にして机等の上に置く。このとき、前面板１５の後側面１８を上にして置く場所がない場合には、前面板１５を立てた状態にして机等の上に置いてもよい。また、前面板１５を机等の上に置かず、絵画Ｐを交換する作業者が手で持ったままでもよい。続いて、展示物固定部３０を開いて絵画Ｐを展示物固定部３０から取り出し、新たに展示する絵画Ｐを展示物固定部３０と装飾板２５との間に収納する。そして、展示作業と同様の作業を行うことにより、新たな絵画Ｐは磁石板２０ａ〜２０ｃ及びヒンジ部３２により位置決めされ、展示物固定部３０によって収納配置される。そして、新たな絵画Ｐを収納配置した前面板１５の磁石板２０ａ〜２０ｃと基板１１の金属板１３ａ〜１３ｃとを吸着し、前面板１５を基板１１に取り付けることにより額縁１が完成し、絵画Ｐの交換が完了する。
【００２５】
上記実施形態の額縁１によれば、以下のような効果を得ることができる。
（１）本実施形態によれば、基板１１と前面板１５とが相対向したとき、基板１１に備えられた金属板１３ａ〜１３ｃと前面板１５に供えられた磁石板２０ａ〜２０ｃとが相対向し、互いに磁力で吸着されることにより、前面板１５を基板１１の表側面に取り付けた。従って、基板１１を壁面Ｗ等に取り付けた状態から、前面板１５のみを取り外して絵画Ｐを展示又は交換することができる。その結果、展示又は交換の度に額縁１を壁面Ｗ等から取り外すことがないので、その作業性を向上することができる。
【００２６】
（２）本実施形態によれば、前面板１５を、基板１１に備えられた金属板１３ａ〜１３ｃと前面板１５に供えられた磁石板２０ａ〜２０ｃとの磁力による吸着によって基板１１の表側面へ取り付けた。従って、通常の額縁のようにネジ等が不要なため、簡単な構成で展示又は交換の作業性を向上することができる。その結果、絵画Ｐ等の展示又は交換の作業性を向上するとともに、額縁１の部品点数を低減することができるので、額縁１の生産コストを低減することができる。
【００２７】
（３）本実施形態によれば、金属板１３ａ〜１３ｃと磁石板２０ａ〜２０ｃは、それぞれ基板１１の３辺と前面板１５の３辺と平行に配置した。従って、金属板１３ａ〜１３ｃと磁石板２０ａ〜２０ｃは、基板１１に前面板１５を磁力による吸着で取り付けながらも、絵画Ｐを収納配置する際の位置決めと前面板１５を基板１１に取り付ける際の位置決めをすることができる。その結果、位置決め用の部材と固定用の部材を個別に設ける必要がなく、額縁１の製造の工程数を低減することができるので、額縁１の生産コストを低減することができる。
【００２８】
（４）本実施形態によれば、装飾板２５を開口部１７の全面を覆う透明の合成樹脂板で形成した。従って、この装飾板２５によって絵画Ｐを保護することができるとともに、絵画Ｐを視認することができる。
【００２９】
（５）本実施形態によれば、展示物固定部３０を前面板１５に備えられた装飾板２５の下側辺にテープ３１によって接着固定し、該下側辺の接着部を軸として開閉可能に前記装飾板２５に支持されるようにした。また、装飾板２５の上縁部であって、開口部１７の上側辺より上には弱粘性テープから形成されている接着テープ２７を２つ備えた。従って、絵画Ｐを装飾板２５と展示物固定部３０との間に配置し、開口部１７を覆うように展示物固定部３０を閉じ、展示物固定部３０の上縁部と前記接着テープ２７とを接着することにより、絵画Ｐは前面板１５に収納配置される。その結果、前面板１５を基板１１に取り付ける際に、絵画Ｐが脱落するのを防止することができる。
【００３０】
（６）本実施形態によれば、展示物固定部３０は、装飾板２５の下側辺に接着固定され、ヒンジ部３２を形成している。従って、絵画Ｐの展示又は交換作業において、該ヒンジ部３２によって絵画Ｐを位置決めすることができる。その結果、展示又は交換の度に容易に位置決めすることができるので、展示又は交換の作業性を向上することができる。
【００３１】
（７）本実施形態によれば、展示物固定部３０と装飾板２５との間に絵画Ｐを収納配置したので、展示又は交換作業の際の絵画Ｐの撓みや損傷を低減するとともに、絵画Ｐを視認することができる。
（第２実施形態）
次に、本発明を具体化した第２実施形態を図４、図５に従って説明する。本実施形態では、第１実施形態で説明した基板に保管部と保持部材を加えたことが第１実施形態と異なる。以下の実施形態において、前記第１の実施形態と同様の部分については、同一の符号を付し、その詳細な説明は省略する。
【００３２】
図４に示すように、基板３５は、その前側面４０に略四角形状の保管部４５が凹設されている。保管部４５は、その大きさは絵画Ｐが収納可能な大きさになっており、その深さは絵画Ｐが複数枚収納可能な深さになっている。保管部４５の上縁部であって、前記前側面４０中央には、略円弧状に取付溝５０が凹設されている。取付溝５０は、前記保管部４５と連通しており、その深さは前記保管部４５と等しく形成されている。
【００３３】
前記前側面４０には、保管部４５の左下隅部と右下隅部とを結ぶように保持部材としての紐状の係止部材５５が接着剤等で固着されている。係止部材５５はゴム等の弾性部材で形成されており、その長さは、係止部材５５を伸張したときに係止部材５５の中間部が弛まずに取付溝５０に掛け止めされる長さとなっている。係止部材５５は、その太さは、前記取付溝５０の幅より細い太さとなっている。そして、図５に示すように、前記保管部４５には展示物としての絵画Ｐが配置され、係止部材５５を伸張して、その中間部を取付溝５０に掛け止めすることにより、絵画Ｐは基板３５に収納配置される。
【００３４】
次に、上記のように構成された額縁の使用方法を図４、図５に従って説明する。
まず、絵画Ｐを第１実施形態と同様の方法で、前面板１５に収納配置する。このとき、係止部材５５は、取付溝５０に掛け止めされた状態になっている。そして、展示が終了して新たな絵画Ｐを展示させたい場合には、展示が終了した絵画Ｐを、第１実施形態と同様の方法で前面板１５から取り出す。次に、図４に示すように、基板３５を壁面Ｗに取り付けた状態のままで、係止部材５５を取付溝５０から取り外し、展示が終了した絵画Ｐを基板３５の保管部４５に収納する。そして、図５に示すように、係止部材５５を伸張し、取付溝５０に掛け止めすることにより、該絵画Ｐを保管部４５に保管する。そして、第１実施形態と同様の方法で新たな絵画Ｐを前面板１５に収納配置し、前面板１５を額縁に取り付ける。これによって、本実施形態の額縁は、第１実施形態の額縁１の効果に加えて、さらに、展示の終了した絵画Ｐを保管することができる。
【００３５】
上記実施形態の額縁によれば、以下のような効果を得ることができる。
（１）本実施形態によれば、基板３５に保管部４５、取付溝５０及び係止部材５５を備えた。そして、展示が終了した絵画Ｐを保管部４５に収納し、係止部材５５で係止した。従って、展示が終了した絵画Ｐを基板３５に保管する保管場所を確保することができる。
（２）本実施形態によれば、基板３５が壁面Ｗ等への吊り下げ部と絵画Ｐの保管部とを兼ねるように構成した。従って、簡単な構成で絵画Ｐを展示しながらも該絵画Ｐを保管することができる。その結果、額縁の製造の工程数を低減することができるので、額縁の生産コストを低減することができる。
（３）本実施形態によれば、取付溝５０を保管部４５と連通させた。従って、係止部材５５を取付溝５０に掛け止めしやすく、また、取付溝５０から係止部材５５が抜けにくくなる。その結果、絵画Ｐの収納が容易でありながらも絵画Ｐが脱落することなく固定することができる。
（４）本実施形態によれば、係止部材５５をゴム等の弾性部材で形成した。従って、保管部４５に保管される絵画Ｐの枚数に合わせて適度な強さで絵画Ｐを係止することができる。
【００３６】
なお、上記各実施形態は以下のように変更してもよい。
○上記第２実施形態では、保持部材としての紐状の係止部材５５で絵画Ｐを係止した。これを、前面板１５に供えられた展示物固定部３０と同様の部材を基板３５に設け、保管される絵画Ｐを係止してもよい。すなわち、保管部４５の上側辺より上に接着テープを備え、基板３５の下側辺に展示物固定部３０と同様の部材である保持部材を開閉可能に接着固定する。そして、絵画Ｐを収納した保管部４５を覆うように該保持部材を閉じることにより、絵画Ｐを係止してもよい。また、接着テープを保管部４５の左側辺より左に備え、基板３５の右側辺に保持部材を開閉可能に接着固定してもよい。さらに、接着テープを保管部４５の右側辺より右に備え、基板３５の左側辺に保持部材を開閉可能に接着固定してもよい。
○上記各実施形態では、展示物固定部３０は不透明であったが、透明な合成樹脂シートであってもよい。これによれば、展示物固定部３０は透明であるため、作業者は、展示物固定部３０を閉じた後も絵画Ｐがずれているか否かを確認することができる。
○上記各実施形態では、展示物固定部３０を装飾板２５の下側辺に接着固定してヒンジ部３２を構成し、絵画Ｐを展示または交換する毎に、展示物固定部３０を開閉していた。これを、展示物固定部３０を接着固定せずに、絵画Ｐを展示または交換する毎に展示物固定部３０を装飾板２５に接着するようにしてもよい。
○上記各実施形態では、展示物固定部３０は、装飾板２５の下側辺に開閉可能に接着固定したが、これを下側辺ではなく、接着テープ２７をそれぞれ開口部１７の左側辺より左に備え、装飾板２５の右側辺に展示物固定部３０を開閉可能に接着固定してもよい。また、接着テープ２７をそれぞれ開口部１７の右側辺より右に備え、装飾板２５の左側辺に展示物固定部３０を開閉可能に接着固定してもよい。さらに、接着テープ２７をそれぞれ開口部１７の下側辺より下に備え、装飾板２５の上側辺に展示物固定部３０を開閉可能に接着固定してもよい。
○上記各実施形態では、前面板１５に凹部１９を凹設し、装飾板２５、展示物固定部３０及び絵画Ｐが収納配置されるようにした。これを、凹部１９を設けずに前面板１５の後側面１８に装飾板２５を固着し、該装飾板２５に展示物固定部３０を接着固定して装飾板２５と展示物固定部３０との間に絵画Ｐを収納するようにしてもよい。
○上記各実施形態では、基板１１（基板３５）に設けられた金属板からなる金属板１３ａ〜１３ｃ、前面板１５に設けられた磁石からなる磁石板２０ａ〜２０ｃは、それぞれ基板１１（基板３５）と前面板１５上に配設されていた。これを、金属板１３ａ〜１３ｃ、磁石板２０ａ〜２０ｃをそれぞれ基板１１（基板３５）、前面板１５に埋設するようにしてもよい。これにより、基板１１（基板３５）に前面板１５を取り付けたときの基板１１（基板３５）と前面板１５との間の隙間を低減することができる。
○上記各実施形態では、基板１１（基板３５）に金属板からなる金属板１３ａ〜１３ｃを設け、前面板１５に磁石からなる磁石板２０ａ〜２０ｃを設け、磁力によって基板１１（基板３５）に前面板１５を取り付けるようにした。これを、金属板１３ａ〜１３ｃと磁石板２０ａ〜２０ｃとを粘着テープ、面ファスナー等によって構成し、基板１１（基板３５）に前面板１５を取り付けるようにしてもよい。
【図面の簡単な説明】
【００３７】
【図１】第１実施形態の額縁の概略を説明するための平面図。
【図２】同じく、額縁の断面図。
【図３】同じく、額縁の使用方法を説明するための分解斜視図
【図４】第２実施形態の基板の使用方法を説明するための分解斜視図。
【図５】同じく、基板の使用方法を説明するための斜視図。
【符号の説明】
【００３８】
Ｐ…絵画、Ｗ…壁面、１…額縁、１１,３５…基板、１３ａ〜１３ｃ…金属板、１５…
前面板、１７…開口部、１８…後側面、１９…凹部、２０ａ〜２０ｃ…磁石板、２５…装飾板、２７…接着テープ、３０…展示物固定部、３１…テープ、３２…ヒンジ部、４０…前側面、４５…保管部、５０…取付溝、５５…係止部材。
【図１】
2005176913.tif 000003
【図２】
2005176913.tif 000004
【図３】
2005176913.tif 000005
【図４】
2005176913.tif 000006
【図５】
2005176913.tif 000007